(57)【特許請求の範囲】
【請求項１】
断熱材で囲まれた庫内と、前記庫内に設置された商品収納棚と、商品を冷却する為の冷却ユニットとして構成されているエバポレータと、コンデンサと、ファンと、圧縮機と、前記エバポレータからの排水を導く為の排水ガイドと、その排水を受ける為の蒸発皿と、前記蒸発皿に設けられたガイドと、蒸発シートとを備え、前記ガイドにカエシ突起を、前記蒸発シートに前記カエシ突起と係合する係合穴を設けた事を特徴とする自動販売機の排水蒸発装置。
【発明の詳細な説明】
【技術分野】
【０００１】
本発明は自動販売機の排水蒸発装置に関するものである。
【背景技術】
【０００２】
従来、この種の自動販売機の排水蒸発装置は、蒸発能力を高めるために、蒸発シートを備えている（例えば、特許文献１参照）。
【０００３】
以下、図面を参照しながら上記従来の自動販売機の排水蒸発装置について説明する。
【０００４】
図３は、特許文献１に記載された自動販売機の排水蒸発装置の構成図である。図３において、自動販売機の排水蒸発装置は、断熱材で囲まれた庫内１と、庫内１内に設置された商品収納棚２と、商品を冷却する為の冷却ユニットとして構成されているエバポレータ３、コンデンサ４、ファン５、圧縮機６と、エバポレータ３から排水を蒸発皿８に導く為の排水ガイド７から構成されている。蒸発皿８には、蒸発シート９と、支柱１０が設けられている。
【０００５】
以上のように構成された自動販売機の排水蒸発装置について、以下その動作を説明する。
【０００６】
エバポレータ３、コンデンサ４、ファン５、圧縮機６で構成された冷却ユニットにより庫内１を冷却し、商品収納棚２内にある商品の冷却を行う。その際、エバポレータ３にて庫内１空気中の水分が凝縮する。凝縮した水分は排水として排水ガイド７を伝い、蒸発皿８に導かれる。
【０００７】
蒸発皿８に溜まった排水は蒸発シート９で吸い上げられファン５からのコンデンサ４廃熱の影響を受けて蒸発する。また蒸発シート９の形状を保つ為支柱１０が必要となり蒸発シートの表面積が大きい程、蒸発性能が向上する。
【先行技術文献】
【特許文献】
【０００８】
【特許文献１】特開平８−２９０４９号公報
【発明の概要】
【発明が解決しようとする課題】
【０００９】
しかしながら、上記従来の自動販売機の排水蒸発装置では、蒸発シートを清掃するもしくは新品に交換するといった作業時、蒸発シートが複数の支柱で支えられている為に装着、脱着に手間が掛かる。また蒸発シートを定位置に装着出来なかった場合、ファンからのコンデンサ廃熱を受ける表面積が減少して蒸発性能が低下するという課題を有していた。
【００１０】
また、装着、脱着しやすくする為に蒸発シートと支柱にクリアランスを設けた場合、自動販売機の輸送時、振動により外れてしまい蒸発性能が低下する恐れがあるという課題を有していた。
【００１１】
本発明は上記従来の課題を解決するもので、蒸発皿に蒸発シートを定位置に固定しやすく、且つ振動での外れを防止することで、取り付けバラツキが少なく安定した蒸発性能を確保する事が出来る自動販売機の排水蒸発装置を提供することを目的とする。
【課題を解決するための手段】
【００１２】
上記従来の課題を解決するために、本発明の自動販売機の排水蒸発装置は、断熱材で囲まれた庫内と、前記庫内に設置された商品収納棚と、商品を冷却する為の冷却ユニットとして構成されているエバポレータと、コンデンサと、ファンと、圧縮機と、前記エバポレータからの排水を導く為の排水ガイドと、その排水を受ける為の蒸発皿と、前記蒸発皿に設けられたガイドと、蒸発シートとを備え、前記ガイドにカエシ突起を、前記蒸発シートに前記カエシ突起と係合する係合穴を設けたものである。
【００１３】
これにより、蒸発シートを蒸発皿にセットする際、蒸発シートをガイド中に置き、ガイドに沿って広げ、ガイド端に設けられたカエシ突起に蒸発シートの係合穴を通すだけで簡単に装着する事が出来る。また脱着する際もカエシ突起から蒸発シートの係合穴を外すだけで簡単に行う事が出来る。
【００１４】
また蒸発シートはカエシ突起により係合されている為、輸送時の振動や蒸発皿を斜めに傾けた場合においても外れを防止する事が出来る。またガイドに沿って装着され蒸発シートの端をカエシ突起にて固定される為、作業者による取り付けバラツキを少なく事が出来る。
【発明の効果】
【００１５】
本発明の自動販売機の排水蒸発装置は、蒸発皿に設けられたガイドにカエシ突起を設け、蒸発シートにはカエシ突起と係合する係合穴を設けたことにより、蒸発シートの蒸発皿への着脱を容易に行うことができ、作業性を向上することができるとともに、作業者による取り付けバラツキを低減でき、安定した蒸発性能を確保する事が出来る。
【図面の簡単な説明】
【００１６】
【図１】本発明の実施の形態１における排水蒸発装置を備えた自動販売機の構成図
【図２】本発明の実施の形態１における自動販売機の排水蒸発装置の要部構成図
【図３】従来の自動販売機の排水蒸発装置の構成図
【発明を実施するための形態】
【００１７】
請求項１に記載の発明は、断熱材で囲まれた庫内と、前記庫内に設置された商品収納棚と、商品を冷却する為の冷却ユニットとして構成されているエバポレータと、コンデンサと、ファンと、圧縮機と、前記エバポレータからの排水を導く為の排水ガイドと、その排水を受ける為の蒸発皿と、前記蒸発皿に設けられたガイドと、蒸発シートとを備え、前記ガイドにカエシ突起を、前記蒸発シートに前記カエシ突起と係合する係合穴を設けたものであり、蒸発シートを蒸発皿にセットする際、蒸発シートをガイド中に置き、ガイドに沿って広げ、ガイド端に設けられたカエシ突起に蒸発シートの係合穴を通すだけで簡単に装着する事が出来るので、蒸発シートの蒸発皿への着脱を容易に行うことができ、作業性を向上することができる。
【００１８】
さらに、蒸発シートはカエシ突起により係合されている為、輸送時の振動や蒸発皿を斜めに傾けた場合においても外れを防止する事が出来る。またガイドに沿って装着され蒸発シートの端をカエシ突起にて固定される為、作業者による取り付けバラツキを少なく事が出来るので、作業者による取り付けバラツキを低減でき、安定した蒸発性能を確保する事が出来る。
【００１９】
（実施の形態１）
図１は、本発明の実施の形態１における排水蒸発装置を備えた自動販売機の構成図、図２は本発明の実施の形態１における自動販売機の排水蒸発装置の要部構成図である。
【００２０】
図１から図２において、断熱材で囲まれた庫内１と、庫内１に設置された商品収納棚２と、商品を冷却する為の冷却ユニットとして構成されているエバポレータ３と、コンデンサ４と、ファン５と、圧縮機６と、エバポレータ３からの排水を導く為の排水ガイド７と、その排水を受ける為の蒸発皿８と、蒸発皿８の長手方向左右に設けられたガイド１１と、ガイド１１のそれぞれ前後端部に対向して設けられたカエシ突起１２と、蒸発シート１３から構成されている。
【００２１】
蒸発シート１３は蒸発皿８の壁面とガイド１１との間で蒸発皿８の長手方向に蛇腹状に形成されており、その両端部にはカエシ突起１２と係合するための係合穴１４を有している。係合穴１４の大きさはカエシ突起１２の最大部と略同一寸法もしくは、やや係合穴１４の方を大きく設定し、蒸発シート１３の両端部の折り返した複数の蛇腹に対して係合穴１４を形成、すなわち蒸発シート１３の端部に複数の係合穴１４を形成している。
【００２２】
上記構成により、蒸発シート１３を蒸発皿８にセットする際、蒸発シート１３をガイド１１と蒸発皿８の壁面との間に置き、ガイド１１に沿って広げ、ガイド１１のそれぞれ前後端部に対向して設けたカエシ突起１２に蒸発シート１３の係合穴１４を通すだけで簡単に装着する事が出来る。また脱着する際もカエシ突起１２から蒸発シート１３の係合穴１４を外すだけで簡単に行う事が出来る。
【００２３】
また、蒸発シート１３はカエシ突起１２により係合されている為、輸送時の振動や蒸発皿を斜めに傾けた場合においても外れにくく、外れ防止性を高めることが出来る。また、ガイド１１に沿って装着され蒸発シート１３の両端部をカエシ突起１２にて固定される為、作業者による取り付けバラツキを少なくすることができ、安定した蒸発性能を確保する事が出来る。
【００２４】
また、蒸発シート１３の両端部の蛇腹に対して複数の係合穴１４を形成し、カエシ突起１２で係合しているので、さらに蒸発シート１３の外れ防止性を高めることが出来る。
【産業上の利用可能性】
【００２５】
以上のように本発明にかかる自動販売機の排水蒸発装置は、ショーケースや冷蔵庫等の排水蒸発装置等の用途にも適用出来る。
【符号の説明】
【００２６】
１  庫内
２  商品収納棚
３  エバポレータ
４  コンデンサ
５  ファン
６  圧縮機
７  排水ガイド
８  蒸発皿
１１  ガイド
１２  カエシ突起
１３  蒸発シート
１４  係合穴
【図１】
0005505101.tif 000002
【図２】
0005505101.tif 000003
【図３】
0005505101.tif 000004